(57)【要約】【課題】  衿を有する衣類において、特に洗濯時における衿の型崩れを防止し、また型崩れしても容易に折り目を合わせてアイロン掛けし易い衣類に関する。【解決手段】身頃首回り縁部に衿部片を接合し、衿部又は衿本及び小衿に夫々折り返し部を設け、且つ折り返し部の稜線に沿って縫合部を設けることにより、着用時や洗濯時における折り目の型崩れや皺が防止され、折り目の成形性が図られて、アイロン掛け作業が容易となり、更に衿部の皺防止や品質の安定化が図られ、成形性や外観、着用感等の優れた衣類が得られるのである。【選択図】図１
2009046773.tif 000002
【特許請求の範囲】
【請求項１】
身頃の首回り縁部に衿部片を接合して形成した衿部を、首回り方向に沿って外側に折り返して、衿を構成する衣類において、該衿部を前記折り返し部に沿って折り返した状態で、前記折り返し部の一部をその稜線に沿って縫合し、該衿部を展開しても前記縫合部が畝状に固定されるように構成したことを特徴とする衣類。
【請求項２】
身頃の首回り縁部に衿部片を接合して形成した衿部を、首回り方向に沿って外側に折り返して、衿本体及び小衿を構成する衣類において、該衿部を前記折り返し部に沿って折り返した状態で、前記小衿の折り返し部の全体または一部をその稜線に沿って縫合し、該衿部を展開しても前記縫合部が畝状に固定されるように構成したことを特徴とする衣類。
【請求項３】
上記衣類において、前記折り返し部の夫々両端から始まる縫合部を有することを特徴とする請求項１または請求項２に記載の衣類。
【請求項４】
上記衣類は、衿を有する寝衣、洋服であることを特徴とする請求項１乃至請求項３に記載の衣類。
【発明の詳細な説明】
【技術分野】
【０００１】
本発明は、衿を有する衣類において、特に洗濯時における衿の型崩れを防止し、また型崩れしても、容易に折り目を合わせてアイロン掛けし易い衣類に関する。
【背景技術】
【０００２】
従来、パジャマなどの衣類については、衿部の形状を固定する機構はなく、洗濯等された場合、衿部の型崩れが発生しやすく、また折り目ラインが消失する恐れがあり、その後に衿部の正しい折り目ラインに合わせてアイロン掛けするには多くの手間や時間がかかるため、特に大量の洗濯を行うリネン作業においては無視できない工数とコストがかかるものであった。
【０００３】
【特許文献１】特開平９−１９５１０１号公報
【発明の開示】
【発明が解決しようとする課題】
【０００４】
本発明は、上述した問題を解決するためになされたものであり、本発明の解決しようとする課題は、衿部の型崩れがし難く、また型崩れしても容易にアイロン掛けができる衿部を有する衣類を提供することにある。
【課題を解決するための手段】
【０００５】
本発明は、身頃の首回り縁部に衿部片を接合して形成した衿部を、首回り方向に沿って外側に折り返して、衿を構成する衣類において、該衿部を前記折り返し部に沿って折り返した状態で、前記折り返し部の一部をその稜線に沿って縫合し、該衿部を展開しても前記縫合部が畝状に固定されるように構成したことを特徴とするものである。上記のように衿の折り返し部を固定することで、洗濯時等における衿の型崩れを防止でき、また型崩れした場合でも、衿部の正しい折り目ラインに合わせてアイロン掛けし易い効果が得られる。
【０００６】
ここで、前記「折り返し部の一部」とは、連続していない複数個所の縫合部を含むものである。アイロン掛けで重要な折り目の始まりを決めておく為に、折り返し部の夫々両端から始まる縫合部を形成するのが基本的な構成であるが、それ以外の箇所、例えば頚部後側にも折り目を決めておく為に縫合部を形成するなどしても良い。また前記「その稜線に沿って」とは、稜線に平行で直線的な縫合ラインのみならず、稜線と並行でなく斜めの縫合ラインや、鋸歯形状や波型形状等の縫合ライン、または複数本の糸による縫合ラインなど、本発明と同様の効果を奏する縫合ラインの形態をも含む。
【０００７】
また本発明は、身頃の首回り縁部に衿部片を接合して形成した衿部を、首回り方向に沿って外側に折り返して、衿本体及び小衿を構成する衣類において、該衿部を前記折り返し部に沿って折り返した状態で、前記小衿の折り返し部の全体または一部をその稜線に沿って縫合し、該衿部を展開しても前記縫合部が畝状に固定されるように構成したことを特徴とするものである。小衿を有する衣類においては、上記のように、衿の折り返し部の両端部にあたる小衿の折り目ラインを固定することで、アイロン掛けで重要な折り目の始まりを決めることができる。しかも、この構成では、肌の敏感な首筋に縫合部があたらないため、より着用感に優れた衣類が得られる。
【０００８】
また本発明は、寝衣、洋服等の衣類に適用されるもので、寝衣とは、パジャマやナイトガウン等の就寝時に着用する襟付きの衣類をいう。また洋服とは、ポロシャツ、ジャケット、オーバコート、運動服、作業服、つなぎ服、背広服、ワイシャツ、ブラウス等の襟付きの衣服をいう。
【発明の効果】
【０００９】
本発明によれば、洗濯等における衿の型崩れ等を防止でき、また型崩れが発生したとしても容易にアイロン掛けできる、保形性に優れた衣類が得られる。
【００１０】
具体的な適用例としては、病院やホテル等で使用される業務用のパジャマなど、大量のリネン作業が必要な衣類における利用が考えられる。従来、これらの業務用のパジャマにおいては洗濯後の衿の変形が目立たないよう表面変化のあるワッフル生地やポリエステル混率の高い素材の生地を使用されることが多いが、当該発明の改善により衿の変形が抑制されるため、表面がフラットなサテン等の上質素材の生地や綿混率の高い素材の生地を使用することも可能になる。
【発明を実施するための最良の形態】
【００１１】
本発明は、身頃の首回り縁部に衿部片を接合して形成した衿部を、首回り方向に沿って外側に折り返し、折り返し部の一部をその稜線に沿って縫合するか、或いは身頃の首回り縁部に衿部片を接合し、衿部を首回り方向に沿って外側に折り返して衿本体及び前立部の上縁部に形成した小衿を構成し、該衿部を前記折り返し部に沿って折り返した状態で、前記小衿の折り返し部の全体または一部をその稜線に沿って縫合することにより、縫合部が畝状に固定され、洗濯後においても衿部片や小衿の型崩れや皺の発生が防止され、且つ衿部の型崩れの発生が防止されてアイロン掛け作業が容易となり、また折り目部分の生地の磨耗が少なくなって折り目形成が容易となり、衣類の成形性や外観、着用感が向上し、品質や保形性などに優れた衣類が得られるようにしたもので、以下実施例と共にその内容を説明する。
【実施例１】
【００１２】
図１〜図３は、実施例１による衿部の構造例であり、ポロシャツ５の場合を例にして、衿部の構造を図示したもので、１は首廻りに衿部片を接合して設けた衿部、２は前身頃、３は後身頃、４は袖部、６、７は夫々上前及び下前の前立部、８、９は夫々ボタン穴及び釦である。また衿部１にアイロン掛けを施して、首回り方向に沿って適宜に外側に折り返すことにより、折り返しによる稜線、即ち折り目１１が形成されるのである。尚、衿部１は、二重構造の生地１２、１３から形成され、且つ衿部１の外側に折り返された下方端縁部を夫々互いに内側に折り曲げて重合、縫着１５、１６するようにしてあり、更に衿部１の内側に折り返された下方端縁部を夫々互いに内側に折り曲げ、且つ同端縁部間に後身頃３の生地を挿入、挟持して周知の手段で衿部１を身頃首回り縁部に一体的に縫着１７、１８するようにしている。
【００１３】
また衿部１にアイロン掛けを施す際の始点である衿部１の両側端縁部における折り返し部の位置、即ち図２の如く、前立部６及び７の上方端縁部における衿部１の折り返し部の位置Ｊ、Ｊから折り目１１の下方に沿って折り目１１と平行に数ｃｍ隔てた位置Ｋ、Ｋに至る部位までの縫着位置２０、２０において、図３の如く、衿部１を構成する生地１２、１３が折り目１１で折り返された状態で、位置Ｊ〜Ｋに至る縫着位置２０、２０を夫々縫合２１、２１することにより、重合縫着された縫合部２１、２１を有する折り目１１が形成されるのである。
【００１４】
また衿部１の折り目１１の下方位置における上記縫合部２１、２１の夫々の下側折り返し部を平らに展開した場合でも、折り目１１が、縫合部２１、２１を介して畝状若しくは凸状に固定された状態にあるので、縫合部２１、２１により形成された折り目１１の部位は、洗濯時においても型崩れや皺が発生することないのである。更に上記縫合部２１、２１の存在により、衿部１にアイロン掛けを施す際、折り目１１の位置決めや折り目形成が極めて容易となり、アイロン掛け作業の大幅な能率アップが図られるのである。
【００１５】
尚、本発明では、上記の如く衿部１の両側端縁部における折り返し部に縫合部２１、２１を設けてあるが、例えば頚部後側における折り返し部にも縫合部２１を設けて折り目形成をより簡単で、容易に行えるようにしてもよい。
【００１６】
また上記縫合部２１の長さについては、長い（縫合部が多い）ほど衿の保形性は高くなるが、一般的に肌の敏感な首筋に縫合部が触れない方が着用感としては良好であり、１〜５ｃｍ程度が好ましい。一方、折り目１１の折返し頂部から縫合部２１の距離については、この距離が小さいほど折曲げ部の肌触りが固い感触になる傾向があり、逆にこの距離が大きいと折り目ラインが決まり難くなるため、布生地の厚み、剛性、生地組織等によって、肌触り、折り目固定のこうか及び美観を勘案して１ｍｍ〜１０ｍｍの範囲で調整されることが好ましく、２〜５ｍｍの範囲であることが更に好ましい。
【００１７】
更に縫合部２１、即ち縫合ライン２１の形成について、上記の如く折り目１１、即ち稜線と平行に形成するようにしてあるが、同縫合ライン２１を稜線と平行ではなく、斜め方向に形成するようにしてもよく、また縫合ライン自体を鋸歯形状や波型形状等の縫合ライン、或いは複数本の平行状の縫目による縫合ライン等で形成するようにしてもよい。
【実施例２】
【００１８】
図４〜図８は、実施例２による衿部の構造例であり、パジャマ用上衣の場合を例にして以下説明する。５１はパジャマ用上衣で、５３、５４は夫々左側前身頃及び右側前身頃であり、５６は後身頃、５７はテーラー型の衿本体、６４、６５は夫々周知の小衿、５８、５９は夫々前立部で、左側及び右側前身頃５３、５４の端縁側部を夫々内側に折り返して上前及び下前の前立部５８、５９を形成するようにしてある。
【００１９】
６１、６１は夫々左上前及び下前の前立部５８、５９裏面側の折返し生地、６２、６２は夫々左側前身頃及び右側前身頃５３、５４の上縁部、即ち前立部５８、５９の上方部に設けた周知の突出部で、同突出部６２、６２を周知の手段で外側に折り返して小衿６４、６５を形成するようにしてある。６６、６７は夫々前立部５９、５８に設けたボタン及び釦穴、６８、６８は前記折返し生地６１、６１の端縁部を夫々左右の前身頃５３、５４側に縫着した縫着部である。
【００２０】
また身頃の首回り縁部に周知の手段で、衿本体５７を接合、縫着し、且つ同衿本体５７を首回り方向に沿って外側に折り返して折り目７３を形成するようにしてある。また衿本体５７は、図例では略長方形で、且つ二重構造の生地７０、７１から構成されており、更にアイロン掛けを施して衿本体５７を首回り方向に沿って適宜に外側に折り返す際、図４、図５及び図６の如く、折り返しによる稜線、即ち折り目７３を形成する場合、折り目７３が衿本体５７の中心位置を通過するようにアイロン掛けをすることにより、衿本体５７における位置Ｙ−Ｚ−Ｙの如く、折り目７３が凸状曲線状に形成されるのである。
【００２１】
尚、図７の如く、衿本体５７において外側に折り返された衿部において、二重構造の生地７０、７１の下方端縁部を夫々互いに内側に折り曲げ、重合、縫着７７、７８するようにしてあり、また衿本体５７において内側に折り返された衿部において、二重構造の生地７０、７１の端縁部を夫々内側に折り曲げると共に、同生地７０、７１の端縁部間に後身頃５６の生地を挿入、挟持して周知の手段で衿本体５７の下縁部を身頃首回り縁部に一体的に縫着７９、８０するようにしている。
【００２２】
また図４、図５、図８の如く、小衿６４、６５における二重構造の生地５４、６１を夫々折り返えしながら、周知の手段で凸状曲線状の折り目７３を衿本体５７に続いて形成し、アイロン掛けすることにより、部位Ｗ−Ｘにおいて、折り目７３が、凸状曲線状に形成されるのである。また小衿６４、６５における二重構造の生地５４、６１を夫々一体的に半折状に外側に折り返された状態で、折り返えしによる稜線、即ち小衿６４、６５の夫々の側端縁部Ｗから位置Ｘに至る下方位置の縫着位置７４について、縦断的に且つ一体的に縫着して縫合部７５を形成するようにしたものである。
【００２３】
尚、小衿６４、６５の外側に折り曲げられる衿部においては、二重構造の生地６１、５４の下方端縁部を夫々互いに内側に折り曲げて重合、縫着８１、８２するようにしてあり、また小衿６４、６５の内側に折り曲げられる衿部においては、二重構造の生地６１、５４のなかで、折り返される生地６１の端縁部を右側前身頃５４側に重合して重合、縫着６８するようにしてある。
【００２４】
尚、小衿６４、６５に設けた折り目７３における位置Ｗから位置Ｘにおいて、折り目７３を平らに展開した場合でも、折り目７３が、縫合部７５により畝状若しくは凸状に固定された状態にあり、従って折り目７３における縫合部７５の部位においては、洗濯時に型崩れや皺が発生することなく、また衿本体５７及び小衿６４、６５に夫々アイロン掛け作業を施して折り目７３を形成する際、前記縫合部７５の存在により、衿本体５７から小衿６４、６５側に折り目７３を連続して形成する際、折り目７３の位置決めが極めて容易となり、従来よりも能率的に折り目７３を形成することができ、アイロン掛け作業の大幅な能率アップが図られるのである。
【００２５】
尚、本発明においては、小衿６４、６５に設けた折り目７３における位置Ｗから位置Ｘに部位に縫合部７５を設けてあるが、小衿６４、６５全体、即ち折り目７３における位置Ｗから位置Ｙにおける部位において、縫合部７５を設けるようにしてもよく、小衿６４、６５の一部或いは全体のいずれかに縫合部７５を設けるようにしてもよいのである。尚、小衿６４、６５の折り目７３に設けた縫合部７５により、同縫合部の部位では、折り目７３が畝状若しくは凸状に固定された状態にあり、従って洗濯時においても型崩れや皺が発生することなく、また衿本体５７及び小衿６４、６５に夫々アイロン掛けにより折り目７３を形成する際、衿本体５７から小衿６４、６５側に折り目７３を連続して形成する際、折り目７３の位置決めが極めて容易となり、能率的に折り目の形成が可能で、アイロン掛け作業の大幅な能率アップが図られるのである。
【産業上の利用可能性】
【００２６】
衣類としては、パジャマ上衣以外にアウターウェア上衣、ワイシャツなど各種の広範囲の商品に適用可能である。
【図面の簡単な説明】
【００２７】
【図１】本発明におけるポロシャツの前身側概略正面図である。
【図２】本発明における衿部を立てて展開した状態のポロシャツにおける衿部の概略正面図である。
【図３】図１におけるＳ−Ｓ断面による概略断面図である。
【図４】本発明におけるパジャマ用上衣の前身側概略正面図である。
【図５】本発明における衿部を立てて展開した状態のパジャマ用上衣における衿部の概略正面図である。
【図６】図５における衿部を立てて展開した状態のパジャマ用上衣における右側衿部の拡大概略正面図である。
【図７】図４におけるＲ−Ｒ断面による概略断面図である。
【図８】図６におけるＱ−Ｑ断面による概略断面図である。
【符号の説明】
【００２８】
１    衿部
２    前身頃
３    後身頃
１１    折り目
２０    縫着位置
２１    縫合部
５７    衿本体
６４    小衿
６５    小衿
７３    折り目
７４    縫着位置
７５    縫合部
【図１】
2009046773.tif 000003
【図２】
2009046773.tif 000004
【図３】
2009046773.tif 000005
【図４】
2009046773.tif 000006
【図５】
2009046773.tif 000007
【図６】
2009046773.tif 000008
【図７】
2009046773.tif 000009
【図８】
2009046773.tif 000010